(57)【要約】【課題】遊技媒体貸出機内部の遊技媒体貯溜量を外部から容易に把握することができ、しかも、遊技店の営業事情にも素早く対応することができる遊技媒体貸出機を提供するものである。【解決手段】本発明においては、遊技媒体貸出機は、異なる位置に設置された少なくとも一組に検出部と、該検出部の出力を検知し、少なくとも三段階の異なる表示をする表示装置を備えたものである。【選択図】  図１
2005192962.tif 000002
【特許請求の範囲】
【請求項１】
遊技媒体を貸出する遊技媒体貸出機において、
前記遊技媒体貸出機は、異なる位置に設置された少なくとも一組に検出部と、
前記検出部の出力を検知し、
少なくとも三段階の異なる表示をする表示装置を備えた
ことを特徴とする、遊技媒体貸出機。
【請求項２】
請求項１項に記載の遊技媒体貸出機において、
前記検出部の内、第１の検出部を遊技媒体貸出機の最小貯溜量位置に設置するとともに、他の検出部を最大貯溜位置方向に順次設置した
ことを特徴とする、遊技媒体貸出機。
【請求項３】
請求項１乃至請求項２項の何れかに記載の遊技媒体貸出機において、
前記表示装置は、遊技媒体の貯溜量が、第１の検出部位置を切った時に第１の表示を発し、
前記他の検出部位置を切った時に各々相当する表示を発する
ことを特徴とする遊技媒体貸出機。
【発明の詳細な説明】
【技術分野】
【０００１】  本発明は、異なる位置に設置された少なくとも一組の検出部と、該検出部の出力を検知し、少なくとも三段階の異なる表示をする表示装置を備えた遊技媒体貸出機に関する。
【背景技術】
【０００２】  従来、遊技媒体をゲーム媒体として使用する遊技機を設置した遊技店では、ゲーム媒体を有料でプレーヤに貸出すため、店内の各所や遊技機同士の間に遊技媒体貸出機を設置していた。これらの遊技媒体貸出機は、ゴト師による不正行為によって遊技媒体が多量に抜き出されることを防止するために、自動補給システムを採用せず、遊技媒体貸出機への遊技媒体の補給を手補給に頼っているのが実態である。【０００３】  このような手補給の遊技媒体貸出機において、プレーヤへの遊技媒体の供給が不完全な場合には、プレーヤ自身が呼び出しボタンを操作して店員に連絡する必要があり、また、この間遊技を中断することが避けられないため、プレーヤを煩わせたり、イライラさせたりする等の問題点が有った。さらに、遊技媒体が無くなってから補給することになるため、遊技媒体の補給要求に対しては、その対応が後手後手にならざるを得ず、プレーヤに不信感、不快感を与える恐れがあった。【０００４】  上記の問題に対応するために、例えば、特許文献２である特開平２−３０２２８７に開示されているように、遊技媒体貸出機の遊技媒体貯溜部に遊技媒体の貯溜状態を検出するセンサーを設置し、このセンサーの出力に基づいて貯溜部に収納されている遊技媒体の量、または、この遊技媒体の量に対応した適宜表示をする表示部を遊技媒体貸出機の表側に設けた発明が提案されている。【０００５】  この出願の発明に関連する先行技術文献としては次のものがある。
【特許文献１】特許第２５１６４９２号の明細書および図面
【特許文献２】特開平２−３０２２８７号公報
【発明の開示】
【発明が解決しようとする課題】
【０００６】  しかしながら、上記した従来の表示装置を有するメダル貸出機では、メダル貯溜容器２（特許文献１中の符号）内のメダルを計測し、その量を表示部１１（特許文献１中の符号）に枚数表示する方法や、メダル枚数が、センサー１０（特許文献１中の符号）に予め任意に設定された枚数以下になると、その量を検出して検出信号を表示部１１（特許文献１中の符号）に警告表示を表示していた。【０００７】  このような従来技術では、貯溜されているメダルの量と払い出されたメダルの量を換算して表示する方法であるため、遊技店の営業事情により、入賞遊技媒体の払出量の調整（イベント時には、通常時に比較して払出量が増加する）に対応することができず、店員が枚数と払出量（スピード）とを比較換算して対応する必要があった。また、閉店後、次の日の営業事情に対応するために、遊技媒体の貯溜量を確認する場合にも、一々メダル量と払出量との比較換算をして補給する必要があり、補給に時間を要する場合があった。【０００８】  本発明は、上記の問題を解決するためになされたものであり、その目的は、遊技媒体貸出機内部の遊技媒体貯溜量を外部から容易に把握することができ、しかも、遊技店の営業事情にも素早く対応することができる遊技媒体貸出機を提供するものである。
【課題を解決するための手段】
【０００９】上記課題を解決するため、本発明においては、遊技媒体を貸出する遊技媒体貸出機において、前記遊技媒体貸出機は、異なる位置に設置された少なくとも一組に検出部と、前記検出部の出力を検知し、少なくとも三段階の異なる表示をする表示装置を備えたものである。【００１０】  このことにより、遊技媒体貸出機内部の遊技媒体の貯溜量を外部から容易に把握することができ、しかも、遊技店の営業事情にも素早く対応することができる。例えば、必要最低限の貯溜量を切った遊技媒体貸出機に必要最低限に達する遊技媒体を補給し、営業事情により払出量が多くなると見込まれる遊技媒体貸出機には、当初貯溜量の上限に近い量を補給しておけば良い。【００１１】    次の発明は、前記検出部の内、第１の検出部を技媒体貸出機の最小貯溜量位置に設置するとともに、他の検出部を最大貯溜位置方向に順次設置したものである。【００１２】  このことにより、払出量やスピードに対応して正確に遊技媒体を補給する必要がなく、大まかに補給量設定範囲（検出部間の範囲）に遊技媒体を補給すれば良く、補給に時間が多く取られることも無い。【００１３】更に、次の発明は、前記表示装置は、遊技媒体の貯溜量が、第１の検出部位置を切った時に第１の表示を発し、前記第他の検出部位置を切った時に各々相当する表示を発してなるものである。【００１４】  このことにより、表示装置の状態で、遊技媒体の貯溜範囲を外部から容易に確認することができ、遊技媒体の補給は、表示後直ちに補給を開始する必要も無く、最小限、第１検出部の表示が発せられた時に行なわれれば良い。このため、店員の対応も余裕を持ってなしえる。無論、表示が発せられた時に対応しても良い。
【発明の効果】
【００１５】  以上のように、本発明によれば、  遊技媒体を貸出する遊技媒体貸出機において、前記遊技媒体貸出機は、異なる位置に設置された少なくとも一組に検出部と、前記検出部の出力を検知し、少なくとも三段階の異なる表示をする表示装置を備えたものであり、遊技媒体貸出機内部の遊技媒体の貯溜量を外部から容易に把握することができ、しかも、遊技店の営業事情にも素早く対応することができる。
【発明を実施するための最良の形態】
【００１６】  ここで、一般的な遊技店における遊技媒体貸出機への遊技媒体の貯溜状態について説明する。一般的に遊技店では、開店時あるいは定期的にイベントを開催し、開放台と称する遊技機を設定し顧客サービスを実施している。この開放台は、一般の遊技機に比較すると入賞遊技媒体の放出が多くなり、遊技機への遊技媒体の補給の回数が増える傾向にある。このような遊技機に隣設された遊技媒体貸出機には、常時多めの遊技媒体を貯溜させておく必要がある。なぜなら、貯溜量が少ないとすぐに補給状態となり、遊技媒体貸出機にも頻繁に補給する必要に迫られ、遊技機と遊技媒体貸出機の両方に補給する事態が生じ、その度に、プレーを中段させてしまうことになるからである。逆に、一般台では、遊技機への補給回数は少なく遊技媒体貸出機への補給が主になる。【００１７】  次に、不正行為者所謂ゴト師と遊技媒体貸出機の遊技媒体貯溜量の関係について考えると、開放台の場合には、特定のプレーヤが台を長時間占有し、しかも遊技媒体の放出量も多くなりゴト師の隙いる可能性が少なく、貯溜量が多くても問題は少ない。反対に、一般台の場合は、プレーヤの回転が速く、遊技媒体の貸出しも多くなり、ゴト師の介入する可能性が高く、貯溜量が多いと被害が大きくなる恐れがあるが、補給回数も増加するため、この補給回数の増加が、監視も兼ねることとなり、結果的にゴト師の介入を排除している。これらの事情から、開放台に隣設する遊技媒体貸出機には多めの遊技媒体を貯溜して、一般台には少なめの遊技媒体を貯溜しておくのが望ましいとされている。尚、一般的に、遊技媒体貯溜部の遊技媒体（メダルの場合）の貯溜量は、５０００枚、一回の補給量は概ね４００〜５００枚程度である。これらの事情を念頭において、本発明の遊技媒体貸出機について説明する。【００１８】  以下、本発明を実施するための最良の形態を、図面に基づいて説明する。図１は、本発明の遊技媒体貸出機を遊技機に隣設した状態を示した正面図、図２は、本発明の表示ステップを示したフローチャートである。【００１９】  遊技媒体貸出機１は、一般にはサンドと称されており、後述する遊技機５に隣設されている。この遊遊技媒体貸出機１は、長矩形に箱形状を成し、縦長の長矩形前面上部には、呼出ランプ１１と、貨幣を投入する投入口１２が、前面下部には、隣設する遊技機５の遊技媒体受け皿５９に遊技媒体を直接払出す払出ノズル１３が設けられている。そして、前面中央には、縦長の表示装置４が配設されている。この表示装置には、３個の異なる色を発する表示ランプ４１，４２，４３が上から下に縦列配置されている、因みに、上の表示ランプ４１が緑色、中の表示ランプ４２が黄色、下の表示ランプ４３が赤色を発する。【００２０】    そして、遊技媒体貸出機１の内部には、投入された紙幣を格納する格納庫、遊技媒体供給口から供給された遊技媒体を受入れ貯溜する遊技媒体の貯溜部、該遊技媒体の貯溜部に接続された遊技媒体の払出ホッパー、遊技媒体を計数する遊技媒体の計数ホッパー、遊技媒体の払出ノズル１２の遊技媒体を誘導する遊技媒体の払出シュート等が配設されている。【００２１】  この遊技媒体貸出機１の側面には、第１検出部２と第２検出部３の２つの検出部が���方向の間隔を置いて取付られている。これらの検出部には、導通検出部と呼ばれる型式のものが用いられている。（遊技媒体を介して量電極を導通状態にし、ランプを点灯させ、遊技媒体が無くなると非導通状態になり、ランプが消灯する）が、他の検出部例えば重量検出部、位置検出部等でもよい。そして、第１検出部２と第２検出部３の取付位置は、次のように設定されている。【００２２】  例えば、本発明の遊技媒体貸出機１の内部に配設されている遊技媒体の貯溜部の遊技媒体（メダルの場合）の貯溜量は、５０００枚と設定されている。そして、第１検出部２は、概略２００枚貯溜される位置に設定され、第２検出部３は、３０００枚〜４０００枚の範囲に設定されている。【００２３】  本発明の遊技媒体貸出機１に隣設する遊技機５は、図１に示すように、縦長形状の箱型に形成され、扉５１で前面が覆われており、その上方部には遊技効果を高めるための発光表示部５２が設けられている。また、扉５１の中央部には、リール部パネル５３が設けられており、該リール部パネル５３には、リール表示窓５４が開設され、その後方内部に左、中、右の３個の回転リール５４ａが回転可能に組み込まれている。更に、該リール部パネル５３の下部にはメダル、コイン等の遊技媒体を投入する遊技媒体の投入口５５、ベッドスイッチ５６ａ、スタートレバー５６ｂ、停止ボタン５６ｃ等が配設されている。【００２４】  遊技媒体の投入口５５の後方内部には、図示されていないが、遊技媒体の誘導路、遊技媒体検出部を介して遊技媒体の投入口５５と連なる遊技媒体のホッパー等が配設されており、投入された遊技媒体を誘導して貯溜できるようになっている。この遊技媒体のホッパー内には一定量の遊技媒体が貯溜されるようになっており、遊技の状況の応じて、投入された遊技媒体の貯溜、遊技媒体の払出制御あるいは返却制御が適宜行われ、遊技媒体払出モータを駆動することによって、遊技媒体を払出しできるように構成されている。また、リール部パネル５３の下方には下方パネル５７が設けられており、該下方パネル５７には、広告印刷部（図示しない）遊技媒体の放出口５８、遊技媒体受け皿５９、スピーカ６０等が配設されている。【００２５】  上記した遊技機５による基本的遊技方法は、遊技媒体を遊技媒体の投入口５５から投入後にスタートレバー５６ｂを操作して３個の回転リールをいっさいに駆動し、一定時間経過後に３個の停止ボタン５６ｃを押して、次々と回転リールを停止させて行き、入賞ライン上に所定の図柄が整列すると、入賞と判定され図柄の組合せに応じて所定数の遊技媒体が配当され、遊技媒体の放出口５８から遊技媒体受け皿５９内に放出されるというものであり、この方法を基本にして種々の入賞形態が工夫設定されるとともにそれぞれの入賞形態に対する入賞確率が法定の範囲内で適宜変更設定されるように構成されている。【００２６】  次に、図２のフローチャートを用いて、本発明の遊技媒体貸出機１の表示方法を説明する。【００２７】  Ｓｔｅｐ１：開放台に隣設する遊技媒体貸出機１の貯留部に遊技媒体を満タンに貯留させておくと第１検出部２と第２検出部３の両検出部は導通状態となるが、表示装置４の緑色の表示ランプ４１のみが点灯するように設���されている。【００２８】  Ｓｔｅｐ２：開放台に隣設する遊技媒体貸出機１の貯留部に貯留されている遊技媒体が第１検出部２と第２検出部３の間にあるときには第１検出部１のみが導通し、表示装置４の黄色の表示ランプ４２のみが点灯するように設定されている。【００２９】  Ｓｔｅｐ３：開放台に隣設する遊技媒体貸出機１の貯留部に貯留されている遊技媒体が第１検出部２より少なくなると第１検出部２と第２検出部３とが非導通状態となり、表示装置４の赤色の表示ランプ４３のみが点灯するように設定されている。この状態で遊技媒体切れを告知する。（実際には、貯留部が空に成る訳ではない）【００３０】  尚、遊技媒体が第２検出部３より上にある状態の時、第１検出部２と第２検出部３とが導通し、表示ランプ４１と４２が点灯し、両検出部の間に遊技媒体がある時には、表示ランプ４１が消灯するように設定することも可能であり、ランプの代わりに、文字、図柄で表示することもできる。【００３１】  本実施例では、検出部を一組設置し、表示を３段階に設定したが、必要に応じて、その数を増加させることもできる。この場合には、補給の対応を密に行なうことができる。また、遊技媒体貸出機１に表示装置を設けているが、表示装置を島端で一括表示したり、ホールの一部で集中管理したりすることもできる。
【図面の簡単な説明】
【００３２】
【図１】本発明の遊技媒体貸出機を遊技機に隣設した状態を示した正面図である。
【図２】本発明の表示ステップを示したフローチャートである。
【符号の説明】
【００３３】  １…遊技媒体貸出機
２…第１検出部
３…第２検出部
４…表示装置
４１…表示ランプ（緑色）
４２…表示ランプ（黄色）
４３…表示ランプ（赤色）
５…遊技機
【図１】
2005192962.tif 000003
【図２】
2005192962.tif 000004